(57)【要約】【課題】記憶部の情報量が多くなるのを抑制しながら、移動体が第２の地域に移動した場合に、ユーザが受信するチャンネルを再設定することなく番組を視聴することが可能な移動体用受信装置を提供する。【解決手段】車載テレビ（移動体用受信装置）は、車両１５０の位置を検出するＧＰＳ受信機と、地域Ａにおいて受信可能なチャンネルＡ１〜Ａ４を記憶する記憶部と、ＧＰＳ受信機により車両１５０が境界領域Ｃに移動したことを検出した場合に、地域Ｂにおいて受信可能なチャンネルＢ１〜Ｂ４を検索するとともに、チャンネルＢ１〜Ｂ４をチャンネルＡ１〜Ａ４に追加して記憶部に記憶させるように構成された制御部とを備えている。【選択図】図４
2009171496.tif 000002
【特許請求の範囲】
【請求項１】
移動体の位置を検出する位置検出部を備えた移動体用受信装置において、
第１の地域において受信可能な第１のチャンネルを記憶する記憶部と、
前記位置検出部により前記移動体が第２の地域に移動したことを検出した場合に、前記第２の地域において受信可能な第２のチャンネルを検索するとともに、前記第２のチャンネルを前記第１のチャンネルに追加して前記記憶部に記憶させるように構成された制御部と、
をさらに備えることを特徴とする移動体用受信装置。
【請求項２】
請求項１に記載の移動体用受信装置において、
前記記憶部は、前記第１のチャンネルおよび前記第２のチャンネルを受信可能な前記第１の地域と前記第２の地域との境界領域を記憶し、
前記制御部は、前記位置検出部により前記移動体が前記境界領域に移動したことを検出した場合に、前記境界領域において受信可能な前記第２のチャンネルを検索するとともに、前記第２のチャンネルを前記第１のチャンネルに追加して前記記憶部に記憶させるように構成されていることを特徴とする移動体用受信装置。
【請求項３】
請求項２に記載の移動体用受信装置において、
前記位置検出部により前記移動体が前記境界領域に移動したことを検出した場合に、前記第１のチャンネルに加えて前記第２のチャンネルが選択可能に表示される表示部をさらに備えることを特徴とする移動体用受信装置。
【請求項４】
請求項１ないし請求項３のいずれかに記載の移動体用受信装置において、
前記制御部は、前記移動体が前記第２の地域に移動した後、前記移動体の電源がオフ状態になった場合に、前記記憶部に記憶された前記第１のチャンネルを消去するように構成されていることを特徴とする移動体用受信装置。
【発明の詳細な説明】
【技術分野】
【０００１】
本発明は、移動体の位置を検出する位置検出部を備えた移動体用受信装置に関する。
【背景技術】
【０００２】
従来、移動体の位置を検出する位置検出部と、各地域において受信可能なチャンネルを全て記憶する記憶部とを備えた移動体用受信装置が知られている（たとえば、特許文献１〜３参照）。
【０００３】
上記特許文献１〜３に開示された移動体用受信装置では、移動体の位置に応じて受信するチャンネルを自動的に切り替えるように構成されており、移動体が所定の地域（第１の地域）から隣接する地域（第２の地域）に移動した場合に、ユーザが受信するチャンネルを再設定することなく番組を視聴することが可能である。
【０００４】
【特許文献１】特開平６−２６８９３４号公報
【特許文献２】特開平９−３２２０８２号公報
【特許文献３】特開２００５−２６７６９号公報
【発明の開示】
【発明が解決しようとする課題】
【０００５】
しかしながら、上記特許文献１〜３に開示された移動体用受信装置では、各地域において受信可能なチャンネルを全て記憶部に記憶させておく必要があるので、記憶部に記憶される情報量が多くなるという問題点がある。
【０００６】
本発明は、上述した課題を解決するものであって、その目的とするところは、記憶部の情報量が多くなるのを抑制しながら、移動体が第２の地域に移動した場合に、ユーザが受信するチャンネルを再設定することなく番組を視聴することが可能な移動体用受信装置を提供することである。
【課題を解決するための手段】
【０００７】
本発明の移動体用受信装置は、移動体の位置を検出する位置検出部を備えた移動体用受信装置において、第１の地域において受信可能な第１のチャンネルを記憶する記憶部と、位置検出部により移動体が第２の地域に移動したことを検出した場合に、第２の地域において受信可能な第２のチャンネルを検索するとともに、第２のチャンネルを第１のチャンネルに追加して記憶部に記憶させるように構成された制御部とをさらに備えている。
【０００８】
このように構成することによって、移動体が第２の地域に移動した場合に、第２の地域において受信可能な第２のチャンネルを検索するとともに、第２のチャンネルを記憶部に記憶させることにより、ユーザは、受信するチャンネルを再設定することなく、第２のチャンネルの番組を視聴することができる。このため、本発明の移動体用受信装置では、上記特許文献１〜３の移動体用受信装置のように、各地域において受信可能なチャンネルを全て記憶部に記憶しておく必要がないので、その分、記憶部の情報量が多くなるのを抑制することができる。
【０００９】
上記移動体用受信装置において、記憶部は、第１のチャンネルおよび第２のチャンネルを受信可能な第１の地域と第２の地域との境界領域を記憶し、制御部は、位置検出部により移動体が境界領域に移動したことを検出した場合に、境界領域において受信可能な第２のチャンネルを検索するとともに、第２のチャンネルを第１のチャンネルに追加して記憶部に記憶させるように構成されていてもよい。
【００１０】
このように構成することによって、移動体が境界領域に位置する場合に、ユーザは、第１のチャンネルおよび第２のチャンネルの番組を視聴することができる。このため、本発明の移動体用受信装置では、上記特許文献１〜３の移動体用受信装置のように、受信するチャンネルが地域に応じて択一的に切り替えられることがないので、ユーザが視聴する番組を選択する際の自由度を向上させることができる。
【００１１】
上記境界領域が記憶部に記憶された移動体用受信装置において、位置検出部により移動体が境界領域に移動したことを検出した場合に、第１のチャンネルに加えて第２のチャンネルが選択可能に表示される表示部をさらに備えていてもよい。
【００１２】
このように構成することによって、移動体が境界領域に位置する場合に、ユーザは、表示部により視聴可能な番組を確認することができるので、容易に、第１のチャンネルおよび第２のチャンネルの中から所望の番組を選択して視聴することができる。
【００１３】
上記移動体用受信装置において、制御部は、移動体が第２の地域に移動した後、移動体の電源がオフ状態になった場合に、記憶部に記憶された第１のチャンネルを消去するように構成されていてもよい。
【００１４】
このように構成することによって、第１のチャンネルを記憶部から消去することにより、記憶部の情報量が多くなるのをより抑制することができる。
【発明の効果】
【００１５】
本発明によれば、記憶部の情報量が多くなるのを抑制しながら、移動体が第２の地域に移動した場合に、ユーザが受信するチャンネルを再設定することなく番組を視聴することが可能な移動体用受信装置を提供することができる。
【発明を実施するための最良の形態】
【００１６】
以下、本発明の実施形態について、図面を参照しながら説明する。なお、以下の実施形態では、移動体用受信装置の一例である車載用の液晶テレビジョン受像機（以下、単に「車載テレビ」という）に本発明を適用した場合について説明する。
【００１７】
図１は、本発明の一実施形態による車載テレビの構成を示したブロック図である。図２、図４および図６は、車両の位置を示した図である。図３、図５および図７は、車載テレビの表示部を示した図である。まず、図１〜図７を参照して、本実施形態による車載テレビ１００の構成について説明する。
【００１８】
本発明の一実施形態による車載テレビ１００は、図１に示すように、チューナ１と、信号処理部２と、表示部３と、スピーカ４と、スイッチ５と、ＧＰＳ（Ｇｌｏｂａｌ  Ｐｏｓｉｔｉｏｎｉｎｇ  Ｓｙｓｔｅｍ）受信機６と、記憶部７と、制御部８とを備えている。また、車載テレビ１００は、車両１５０に設けられている。なお、ＧＰＳ受信機６は、本発明の「位置検出部」の一例であり、車両１５０は、本発明の「移動体」の一例である。
【００１９】
チューナ１は、車両１５０に設けられたアンテナ１５１が受信したテレビジョン放送のチャンネルを選択して、テレビジョン放送信号を信号処理部２に出力する機能を有する。
【００２０】
ここで、テレビジョン放送は、各地域において、複数の放送局が固有のチャンネル（周波数に割り当てられた番号）を用いて行っている。たとえば、図２に示すように、地域Ａにおいては、チャンネルＡ１〜Ａ４が放送されるとともに、地域Ｂにおいては、チャンネルＢ１〜Ｂ４が放送されている。なお、地域Ａは、本発明の「第１の地域」の一例であり、チャンネルＡ１〜Ａ４は、本発明の「第１のチャンネル」の一例である。また、地域Ｂは、本発明の「第２の地域」の一例であり、チャンネルＢ１〜Ｂ４は、本発明の「第２のチャンネル」の一例である。
【００２１】
信号処理部２は、図１に示すように、チューナ１から入力されたテレビジョン放送信号に対して所定の信号処理を行うために設けられている。また、信号処理部２は、映像信号を表示部３に出力するとともに、音声信号をスピーカ４に出力する機能を有する。
【００２２】
表示部３は、液晶パネルからなり、信号処理部２から入力された映像信号を用いて映像を表示するために設けられている。スピーカ４は、信号処理部２から入力された音声信号を用いて音声を発生させるために設けられている。スイッチ５は、ユーザが車載テレビ１００を操作するために設けられている。具体的には、スイッチ５は、表示部３の表示領域上に設けられており、表示部３とともにタッチパネルを構成している。
【００２３】
ＧＰＳ受信機６は、車両１５０の位置を検出するために設けられている。記憶部７は、チャンネルＡ１〜Ａ４を受信可能な地域Ａ（図２参照）と、チャンネルＢ１〜Ｂ４を受信可能な地域Ｂ（図２参照）と、チャンネルＡ１〜Ａ４およびＢ１〜Ｂ４を受信可能な地域Ａと地域Ｂとの境界領域Ｃ（図２参照）とを記憶している。
【００２４】
また、図２のように車両１５０が境界領域Ｃ以外の地域Ａに位置する場合に、記憶部７には、地域Ａにおいて受信可能なチャンネルＡ１〜Ａ４が記憶されている。このため、車載テレビ１００は、図２のように車両１５０が境界領域Ｃ以外の地域Ａに位置するときに、表示部３にチャンネル選択画面Ｗを表示させた場合に、図３に示すように、視聴可能な「チャンネルＡ１」、「チャンネルＡ２」、「チャンネルＡ３」および「チャンネルＡ４」が表示されるように構成されている。
【００２５】
ここで、本実施形態では、制御部８は、車載テレビ１００の動作を制御するために設けられている。具体的には、制御部８は、ＧＰＳ受信機６の検出結果に基づいて、図４のように車両１５０が境界領域Ｃに移動したと判断した場合に、チューナ１を用いて、全チャンネルをスキャンして、受信可能なチャンネルＢ１〜Ｂ４を検索するように構成されている。
【００２６】
また、制御部８は、受信可能なチャンネルＢ１〜Ｂ４をチャンネルＡ１〜Ａ４に追加して記憶部７に記憶させるように構成されている。このため、車載テレビ１００は、図４のように車両１５０が境界領域Ｃに移動したときに、表示部３にチャンネル選択画面Ｗを表示させた場合に、図５に示すように、視聴可能な「チャンネルＡ１」、「チャンネルＡ２」、「チャンネルＡ３」、「チャンネルＡ４」、「チャンネルＢ１」、「チャンネルＢ２」、「チャンネルＢ３」および「チャンネルＢ４」が表示されるように構成されている。
【００２７】
また、制御部８は、ＧＰＳ受信機６の検出結果に基づいて、車両１５０が境界領域Ｃを通過して、図６のように境界領域Ｃ以外の地域Ｂに移動したと判断するとともに、電源１５２（図１参照）をオフ状態にして車両１５０のエンジンが停止した場合に、記憶部７に記憶されたチャンネルＡ１〜Ａ４を消去するように構成されている。このため、車載テレビ１００は、図６のように車両１５０が境界領域Ｃ以外の地域Ｂに移動した後、車両１５０のエンジンを停止すれば、その後、表示部３にチャンネル選択画面Ｗを表示させた場合に、図７に示すように、視聴可能な「チャンネルＢ１」、「チャンネルＢ２」、「チャンネルＢ３」および「チャンネルＢ４」のみが表示されるように構成されている。
【００２８】
図８は、本発明の一実施形態による車載テレビの動作を説明するためのフローチャートである。次に、図１〜図８を参照して、本実施形態による車載テレビ１００の動作について説明する。なお、この動作説明では、図２のように境界領域Ｃ以外の地域Ａに位置する車両１５０が移動する際の車載テレビ１００の動作について説明する。
【００２９】
まず、車載テレビ１００（図１参照）では、図８のステップＳ１において、制御部８（図１参照）により、ＧＰＳ受信機６（図１参照）を用いて車両１５０（図１参照）の位置を検出する。
【００３０】
次に、ステップＳ２において、制御部８により、図４のように車両１５０が境界領域Ｃに移動したか否かを判断する。そして、制御部８により、車両１５０が境界領域Ｃに移動したと判断した場合には、ステップＳ３に移る。その一方、制御部８により、車両１５０が境界領域Ｃに移動していないと判断した場合には、ステップＳ５に移る。なお、制御部８により、車両１５０が境界領域Ｃに移動したと判断するまでは、記憶部７（図１参照）にチャンネルＡ１〜Ａ４が記憶されており、チャンネル選択画面Ｗには、図３に示すように、地域Ａにおいて視聴可能な「チャンネルＡ１」、「チャンネルＡ２」、「チャンネルＡ３」および「チャンネルＡ４」が表示される。
【００３１】
次に、ステップＳ３において、制御部８により、チューナ１（図１参照）を用いて、全チャンネルをスキャンして、受信可能なチャンネルＢ１〜Ｂ４を検索する。そして、ステップＳ４において、制御部８により、受信可能なチャンネルＢ１〜Ｂ４を記憶部７に記憶させる。これにより、記憶部７には、チャンネルＡ１〜Ａ４およびＢ１〜Ｂ４が記憶されており、チャンネル選択画面Ｗには、図５に示すように、境界領域Ｃにおいて視聴可能な「チャンネルＡ１」、「チャンネルＡ２」、「チャンネルＡ３」、「チャンネルＡ４」、「チャンネルＢ１」、「チャンネルＢ２」、「チャンネルＢ３」および「チャンネルＢ４」が表示される。
【００３２】
次に、ステップＳ５において、制御部８により、電源１５２（図１参照）がオフ状態にされることにより、車両１５０のエンジンが停止したか否かを判断する。そして、制御部８により、車両１５０のエンジンが停止したと判断した場合には、ステップＳ６に移る。その一方、制御部８により、車両１５０のエンジンが停止していないと判断した場合には、ステップＳ１に戻る。
【００３３】
次に、ステップＳ６において、制御部８により、ＧＰＳ受信機６を用いて車両１５０の位置を検出する。その後、ステップＳ７において、制御部８により、車両１５０が境界領域Ｃに位置するか否かを判断する。そして、制御部８により、車両１５０が境界領域Ｃに位置すると判断した場合には、車載テレビ１００が動作を終了する。すなわち、車両１５０が境界領域Ｃで停止した場合に、記憶部７には、チャンネルＡ１〜Ａ４およびＢ１〜Ｂ４が記憶されている。その一方、制御部８により、車両１５０が境界領域Ｃに位置していないと判断した場合には、ステップＳ８に移る。
【００３４】
次に、ステップＳ８において、制御部８により、受信可能なチャンネル以外のチャンネルを記憶部７から消去する。具体的には、ステップＳ７において、制御部８により、図６のように車両１５０が境界領域Ｃ以外の地域Ｂに位置すると判断されていた場合には、制御部８により、記憶部７に記憶されたチャンネルのうち受信不可能なチャンネルＡ１〜Ａ４を消去する。これにより、記憶部７には、チャンネルＢ１〜Ｂ４のみが記憶されており、その後のチャンネル選択画面Ｗには、図７に示すように、地域Ｂにおいて視聴可能な「チャンネルＢ１」、「チャンネルＢ２」、「チャンネルＢ３」および「チャンネルＢ４」が表示される。なお、ステップＳ７において、制御部８により、車両１５０が境界領域Ｃ以外の地域Ａに位置すると判断されていた場合には、制御部８により、記憶部７にチャンネルＢ１〜Ｂ４が記憶されていればチャンネルＢ１〜Ｂ４を消去する。
【００３５】
本実施形態では、上記のように、車両１５０が境界領域Ｃに移動した場合に、チャンネルＢ１〜Ｂ４を検索するとともに、チャンネルＢ１〜Ｂ４を記憶部７に記憶させることによって、ユーザは、受信するチャンネルを再設定することなく、チャンネルＢ１〜Ｂ４の番組を視聴することができる。このため、本実施形態の車載テレビ１００では、上記特許文献１〜３の移動体用受信装置のように、各地域において受信可能なチャンネルを全て記憶部に記憶しておく必要がないので、その分、記憶部７の情報量が多くなるのを抑制することができる。その結果、記憶部７の情報量が多くなるのを抑制しながら、車両１５０が境界領域Ｃに移動した場合に、ユーザが受信するチャンネルを再設定することなく番組を視聴することができる。
【００３６】
また、本実施形態では、車両１５０が境界領域Ｃに位置する場合に、チャンネルＡ１〜Ａ４およびＢ１〜Ｂ４の番組を視聴することができる。このため、本実施形態の車載テレビ１００では、上記特許文献１〜３の移動体用受信装置のように、受信するチャンネルが地域に応じて択一的に切り替えられることがないので、ユーザが視聴する番組を選択する際の自由度を向上させることができる。
【００３７】
また、本実施形態では、上記特許文献１〜３の移動体用受信装置のように、各地域において受信可能なチャンネルの全てが予め記憶部に記憶されている場合と異なり、地域に新たなチャンネルが追加された場合にも、その地域に移動した際に、全チャンネルをスキャンして受信可能なチャンネルを検索することにより、その追加された新たなチャンネルの番組を視聴することができる。
【００３８】
また、本実施形態では、チャンネル選択画面Ｗを表示する表示部３を設けることによって、車両１５０が境界領域Ｃに位置する場合に、チャンネル選択画面Ｗには、境界領域Ｃにおいて視聴可能な「チャンネルＡ１」、「チャンネルＡ２」、「チャンネルＡ３」、「チャンネルＡ４」、「チャンネルＢ１」、「チャンネルＢ２」、「チャンネルＢ３」および「チャンネルＢ４」が表示されるので、ユーザは容易に所望の番組を選択して視聴することができる。
【００３９】
また、本実施形態では、車両１５０が境界領域Ｃ以外の地域Ｂに移動した後、電源１５２をオフ状態にして車両１５０のエンジンを停止した場合に、受信不可能なチャンネルＡ１〜Ａ４が記憶部７から消去されることによって、記憶部７の情報量が多くなるのをより抑制することができる。また、その後のチャンネル選択画面Ｗには、地域Ｂにおいて視聴可能な「チャンネルＢ１」、「チャンネルＢ２」、「チャンネルＢ３」および「チャンネルＢ４」が表示されるとともに、視聴できない「チャンネルＡ１」、「チャンネルＡ２」、「チャンネルＡ３」および「チャンネルＡ４」が表示されないので、ユーザが視聴する番組を選択しやすくなる。
【００４０】
本発明は、上述した以外にも種々の実施形態を採用することができる。たとえば、上記実施形態では、移動体用受信装置の一例として車載テレビ１００を示したが、携帯電話などのその他の移動体用受信装置に本発明を適用してもよい。
【００４１】
また、上記実施形態では、車両１５０が地域Ａから地域Ｂに移動する場合の車載テレビ１００の動作について説明したが、車両１５０が３つ以上の地域を移動する場合についても同様である。
【００４２】
また、上記実施形態では、アンテナ１５１が車両１５０に設けられる例を示したが、アンテナ１５１が車載テレビ１００に設けられていてもよい。
【００４３】
また、上記実施形態では、車両１５０が境界領域Ｃ以外の地域Ｂに移動した後、車両１５０のエンジンが停止した場合に、記憶部７に記憶されたチャンネルＡ１〜Ａ４を消去する例を示したが、たとえば、ＧＰＳ受信機６により、境界領域Ｃを通過したことを検出した場合に、記憶部７に記憶されたチャンネルＡ１〜Ａ４を消去するようにしてもよい。
【００４４】
また、上記実施形態では、車両１５０が境界領域Ｃで停止した場合に、記憶部７には、チャンネルＡ１〜Ａ４およびＢ１〜Ｂ４が記憶されている例を示したが、たとえば、車両１５０が境界領域Ｃで停止した場合に、チャンネルＡ１〜Ａ４を消去して、記憶部７には、チャンネルＢ１〜Ｂ４のみが記憶されるようにしてもよい。
【００４５】
また、上記実施形態では、記憶部７が地域Ａと地域Ｂと境界領域Ｃとを記憶する例を示したが、チューナ１を用いて全チャンネルをスキャンして受信可能なチャンネルを検索することにより、地域Ａと、地域Ｂと、境界領域Ｃとを判別するようにしてもよい。
【図面の簡単な説明】
【００４６】
【図１】本発明の一実施形態による車載テレビの構成を示したブロック図である。
【図２】車両の位置を示した図である。
【図３】車載テレビの表示部を示した図である。
【図４】車両の位置を示した図である。
【図５】車載テレビの表示部を示した図である。
【図６】車両の位置を示した図である。
【図７】車載テレビの表示部を示した図である。
【図８】本発明の一実施形態による車載テレビの動作を説明するためのフローチャートである。
【符号の説明】
【００４７】
３        表示部
６        ＧＰＳ受信機（位置検出部）
７        記憶部
８        制御部
１００    車載テレビ（移動体用受信装置）
１５０    車両（移動体）
１５２    電源
【図１】
2009171496.tif 000003
【図２】
2009171496.tif 000004
【図３】
2009171496.tif 000005
【図４】
2009171496.tif 000006
【図５】
2009171496.tif 000007
【図６】
2009171496.tif 000008
【図７】
2009171496.tif 000009
【図８】
2009171496.tif 000010